(57)【特許請求の範囲】
【請求項１】
パケット処理装置と光ファイバケーブルとの間に位置して、パケット処理装置が電力を供給するとき、光ファイバケーブルから入力された光受信パケット信号を受信し、電気受信パケット信号に変換してパケット処理装置に出力し、
パケット処理装置からの電気送信パケット信号を光送信パケット信号に変換して光ファイバケーブルに出力することによって送信する光送受信モジュールにおける光送受信方法であって、
光送受信モジュールは、光送受信部と電気信号処理部とを有し、
光送受信部は、
光ファイバケーブルから入力された光受信パケット信号を電気受信パケット信号に変換して、該電気受信パケット信号と光受信パケット信号の受信状態を示す受信状態信号を、電気信号処理部に出力すると共に、電気信号処理部から入力された電気送信パケット信号を光送信パケット信号に変換して光ファイバケーブルに出力し、
電気信号処理部は、
電気受信パケット信号から制御情報符号セットを読み取り、該制御情報符号セットを復号した制御情報に応じて、光送受信モジュール制御処理を行い、
電気受信パケット信号をパケット処理装置に出力し、
監視情報送信タイミングを生成し、該監視情報送信タイミングに応じて、電気送信パケット信号に受信状態を含む光送受信モジュール監視情報を符号化した監視情報符号セットを挿入して、電気送信パケット信号を光送受信部に出力することを特徴とする光送受信方法。
【請求項２】
電気信号処理部が、
制御情報符号セットを復号して得られた制御情報がパケット折返し要求を示すとき、電気受信パケット信号に対して、監視情報送信処理を行うと共に、電気送信パケット信号として光送受信部に出力するパケット折返し制御を行い、
光送受信モジュール監視情報は、パケット折返し制御を実施中か否かを示すパケット折返し状態を含む請求項１記載の光送受信方法。
【請求項３】
光送受信モジュールは電力蓄積部を有し、
電気信号処理部は、
パケット処理装置から供給される電源電圧Ｖｓを監視し、電圧Ｖｓが電圧Ｖｔより低くなったとき、電源断信号を電気送信パケット信号として光送受信部に出力する、電源断処理を行い、
電力蓄積部は、
パケット処理装置から供給される電力を蓄積し、電圧Ｖｓが電圧Ｖｔより低くなってから電源断信号送信時間の間、光送受部と電気信号処理部が消費する電力を供給する請求項１または請求項２記載の光送受信方法。
【請求項４】
電気信号処理部は、
受信ＦＩＦＯバッファと送信ＦＩＦＯバッファとクロック発生源を有し、電気受信パケット信号を受信ＦＩＦＯバッファに入力し、受信ＦＩＦＯバッファの出力を、クロック発生源が出力する付替クロックに同期して、パケット処理装置に出力し、
受信ＦＩＦＯバッファの蓄積量がＳmax を超え、電気受信パケット信号にアイドル符号セットが含まれるとき、このアイドル符号セットを破棄し、
受信ＦＩＦＯバッファの蓄積量がＳmin を下回り、電気受信パケット信号にアイドル符号セットが含まれるとき、その直前もしくは直後にアイドル符号セットを挿入し、電気送信パケット信号を送信ＦＩＦＯバッファに入力し、送信ＦＩＦＯバッファの出力を、クロック発生源が出力する付替クロックに同期して、光送受信部に出力し、
送信ＦＩＦＯバッファの蓄積量がＳmax を超え、電気送信パケット信号にアイドル符号セットが含まれるとき、このアイドル符号セットを破棄し、
送信ＦＩＦＯバッファの蓄積量がＳmin を下回り、電気送信パケット信号にアイドル符号セットが含まれるとき、その直前もしくは直後にアイドル符号セットを挿入する請求項１〜請求項３のいずれか１項に記載の光送受信方法。
【請求項５】
電気信号処理部は、
符号誤り情報送信タイミングを生成する符号誤り情報送信タイミング生成処理を行い、
電気受信パケット信号の符号誤りを検出して個数を集計し、符号誤り情報送信タイミングに応じて、電気送信パケット信号に集計した符号誤り個数を符号化した符号誤り情報符号セットを挿入する請求項１〜請求項４のいずれか１項に記載の光送受信方法。
【請求項６】
パケット処理装置と光ファイバケーブルとの間に位置して、パケット処理装置が電力を供給するとき、
光ファイバケーブルから入力された光受信パケット信号を受信し、電気受信パケット信号に変換してパケット処理装置に出力し、
パケット処理装置からの電気送信パケット信号を光送信パケット信号に変換して光ファイバケーブルに出力することによって送信する光送受信装置であって、
光送受信装置は、光送受信部と電気信号処理部とを有して成り、
光送受信部は、光ファイバケーブルから入力された光受信パケット信号を電気受信パケット信号に変換して、電気信号処理部に出力すると共に、光受信パケット信号の受信状態を示す受信状態信号を電気信号処理部に出力する手段と、
電気信号処理部から入力された電気送信パケット信号を光送信パケット信号に変換して光ファイバケーブルに出力する手段とを有し、
電気信号処理部は、
電気受信パケット信号から制御情報符号セットを読み取る、制御情報受信処理手段と、
前記制御情報符号セットを復号した制御情報に応じて、光送受信モジュール制御処理を行う手段と、
電気受信パケット信号をパケット処理装置に出力する手段と、
監視情報送信タイミングを生成する、監視情報送信タイミング生成処理手段と、
該監視情報送信タイミングに応じて、電気送信パケット信号に受信状態を含む光送受信モジュール監視情報を符号化した監視情報符号セットを挿入する監視情報送信処理を行う手段と、
電気送信パケット信号を光送受信部に出力する手段とを設けたことを特徴とする光送受信装置。
【請求項７】
電気信号処理部は、
制御情報符号セットを復号して得られた制御情報がパケット折返し要求を示すとき、電気受信パケット信号に対して、監視情報送信処理を行い、電気送信パケット信号として光送受信部に出力する、パケット折返し制御を行う手段を有し、
光送受信モジュール監視情報は、パケット折返し制御を実施中か否かを示すパケット折返し状態を含む請求項６記載の光送受信装置。
【請求項８】
電力蓄積部を有し、
電気信号処理部は、
パケット処理装置から供給される電源電圧Ｖｓを監視し、電圧Ｖｓが電圧Ｖｔより低くなったとき、電源断信号を電気送信パケット信号として光送受信部に出力する、電源断処理を行う手段を有し、
電力蓄積部は、
パケット処理装置から供給される電力を蓄積し、電圧Ｖｓが電圧Ｖｔより低くなってから電源断信号送信時間の間、光送受信部と電気信号処理部が消費する電力を供給する手段を有する請求項６または請求項７の光送受信装置。
【請求項９】
電気信号処理部は、
受信ＦＩＦＯバッファと送信ＦＩＦＯバッファとクロック発生源を有し、
電気受信パケット信号を受信ＦＩＦＯバッファに入力し、受信ＦＩＦＯバッファの出力を、クロック発生源が出力する付替クロックに同期して、パケット処理装置に出力し、
受信ＦＩＦＯバッファの蓄積量がＳmax を超え、電気受信パケット信号にアイドル符号セットが含まれるとき、このアイドル符号セットを破棄し、
受信ＦＩＦＯバッファの蓄積量がＳmin を下回り、電気受信パケット信号にアイドル符号セットが含まれるとき、その直前もしくは直後にアイドル符号セットを挿入し、
電気送信パケット信号を送信ＦＩＦＯバッファに入力し、送信ＦＩＦＯバッファの出力を、クロック発生源が出力する付替クロックに同期して、光送受信部に出力し、
送信ＦＩＦＯバッファの蓄積量がＳmax を超え、電気送信パケット信号にアイドル符号セットが含まれるとき、このアイドル符号セットを破棄し、
送信ＦＩＦＯバッファの蓄積量がＳmin を下回り、電気送信パケット信号にアイドル符号セットが含まれるとき、その直前もしくは直後にアイドル符号セットを挿入する手段を有する請求項６〜８のいずれか１項に記載の光送受信装置。
【請求項１０】
電気信号処理部は、
符号誤り情報送信タイミングを生成する符号誤り情報送信タイミング生成処理を行い、
電気受信パケット信号の符号誤りを検出して個数を集計し、符号誤り情報送信タイミングに応じて、電気送信パケット信号に集計した符号誤り個数を符号化した符号誤り情報符号セットを挿入する手段を有する請求項６〜請求項９のいずれか１項に記載の光送受信装置。
【発明の詳細な説明】
【０００１】
【発明の属する技術分野】
本発明は、IEEE802.3z規格の信号を用いる通信システムなどの、パケット通信システムにおいて使用され、特に、光送受信モジュールを取り付けた遠隔のパケット処理装置とパケット通信を行うとき、光送受信モジュールまでの保守運用監視を確実に実施するための、光送受信方法、及び光送受信装置に関する。
【０００２】
【従来の技術】
従来技術の適用例としてIEEE802.3z規格の信号を用いる通信システム（＝パケット通信システム）の例を図１６、図１７に示す。図１６は、ＩＥＥＥ８０２．３ｚ規格の信号を利用したアクセスネットワークの構成の例を示しており、図１７は、光送受信用ＧＢＩＣモジュールの接続形態の例を示している。
【０００３】
図１６において、数字符号１０１は広域ネットワーク、１０２はパケット通信サービス提供者側の局舎、１０３はIEEE802.3z規格の信号を用いる局内装置、１０４はアクセスネットワーク管理端末、１０５ａ〜１０５ｃは光ファイバケーブル、１０６はアクセスネットワークを表している。
【０００４】
また、１０７ａ〜１０７ｃはパケット通信サービス利用者側の局舎、１０８はＧＢＩＣモジュール、１０９はＧＢＩＣモジュール用スロット、１１０はIEEE802.3z規格の信号を用いる宅内装置、１１１は宅内ＬＡＮ、１１２は光送受信部、１１３はＧＢＩＣ信号処理部を表している。
【０００５】
図１７において、数字符号１０８は光送受信用ＧＢＩＣモジュール、１０９はＧＢＩＣモジュール用スロット、１１０はIEEE802.3z規格の信号を用いる宅内装置、１１２は光送受信部、１１３はＧＢＩＣ信号処理部、１１４は光ファイバケーブル、１１５は光ファイバケーブルコネクタを表している。
【０００６】
図１６のIEEE802.3z規格の信号を用いる局内装置１０３とIEEE802.3z規格の信号を用いる宅内装置（＝パケット処理装置）１１０が、光ファイバケーブル１０５を伝送媒体としたアクセスネットワーク１０６を介して接続される。
【０００７】
IEEE802.3z規格の信号を用いる宅内装置１１０は、ＧＢＩＣモジュール１０８（IEEE802.3z規格の信号装置に取り付けてIEEE802.3z規格の信号を送受信するための規格化されたモジュール）を装着するためのＧＢＩＣモジュール用スロット１０９を備える。
【０００８】
このIEEE802.3z規格の信号を用いる宅内装置１１０は、ＧＢＩＣモジュール１０８（＝光送受信モジュール）が装着され、該ＧＢＩＣモジュール１０８と、アクセスネットワーク１０６の光ファイバケーブルとが接続される。
【０００９】
光送受信用ＧＢＩＣモジュール１０８の電力は、IEEE802.3z規格の信号を用いる宅内装置１１０から供給される。このような構成により、IEEE802.3z規格の信号を用いる局内装置１０３とIEEE802.3z規格の信号を用いる宅内装置１１０との間で、IEEE802.3z規格の信号の通信が行われる。
【００１０】
【発明が解決しようとする課題】
上述したような従来のシステムにおいては、IEEE802.3z規格の信号を用いる通信システムの管理には、光送受信用ＧＢＩＣモジュールとIEEE802.3z規格の信号を用いる宅内装置を一体として管理対象とし、IEEE802.3z規格の信号を用いる宅内装置のパケット処理回路によって実現された制御監視機能（ＳＮＭＰなど）を利用する必要があった。
【００１１】
そのため、IEEE802.3z規格の信号を用いる通信システムを用いてパケット通信サービスを提供する場合、パケット通信サービス提供者側でIEEE802.3z規格の信号を用いる宅内装置に対する複雑な管理を行う必要が生じるので、管理コストが増大するという課題があった。
【００１２】
さらに、IEEE802.3z規格の信号の通信に障害が発生した場合、パケット処理回路の遠隔制御監視が機能しなくなるため、光ファイバケーブルの障害であるか、光送受信用ＧＢＩＣモジュールの故障であるか、IEEE802.3z規格の信号を用いる宅内装置の故障であるかを、推定することができないという問題があった。
【００１３】
そのため、障害発生時には、パケット通信サービス提供者側の技術者がIEEE802.3z規格の信号を用いる宅内装置の配置された場所に出向いて調査する必要があり、このことも管理コストを増大させる要因となっていた。
【００１４】
【課題を解決するための手段】
本発明によれば、上述の課題は前記特許請求の範囲に記載した手段によって解決される。すなわち、請求項１の発明は、パケット処理装置と光ファイバケーブルとの間に位置して、パケット処理装置が電力を供給するとき、光ファイバケーブルから入力された光受信パケット信号を受信し、電気受信パケット信号に変換してパケット処理装置に出力し、
【００１５】
パケット処理装置からの電気送信パケット信号を光送信パケット信号に変換して光ファイバケーブルに出力することによって送信する光送受信モジュールにおける光送受信方法であって、光送受信モジュールは、光送受信部と電気信号処理部とを有し、
【００１６】
光送受信部は、光ファイバケーブルから入力された光受信パケット信号を電気受信パケット信号に変換して、該電気受信パケット信号と光受信パケット信号の受信状態を示す受信状態信号を、電気信号処理部に出力すると共に、電気信号処理部から入力された電気送信パケット信号を光送信パケット信号に変換して光ファイバケーブルに出力し、
【００１７】
電気信号処理部は、電気受信パケット信号から制御情報符号セットを読み取り、該制御情報符号セットを復号した制御情報に応じて、光送受信モジュール制御処理を行い、電気受信パケット信号をパケット処理装置に出力し、監視情報送信タイミングを生成し、該監視情報送信タイミングに応じて、電気送信パケット信号に受信状態を含む光送受信モジュール監視情報を符号化した監視情報符号セットを挿入して、電気送信パケット信号を光送受信部に出力する光送受信方法である。
【００１８】
請求項２の発明は、請求項１記載の光送受信方法において、電気信号処理部が、制御情報符号セットを復号して得られた制御情報がパケット折返し要求を示すとき、電気受信パケット信号に対して、監視情報送信処理を行うと共に、電気送信パケット信号として光送受信部に出力するパケット折返し制御を行い、光送受信モジュール監視情報は、パケット折返し制御を実施中か否かを示すパケット折返し状態を含むように構成したものである。
【００１９】
請求項３の発明は、請求項１または請求項２記載の光送受信方法において、光送受信モジュールは電力蓄積部を有し、電気信号処理部は、パケット処理装置から供給される電源電圧Ｖｓを監視し、電圧Ｖｓが電圧Ｖｔより低くなったとき、電源断信号を電気送信パケット信号として光送受信部に出力する、電源断処理を行い、電力蓄積部は、パケット処理装置から供給される電力を蓄積し、電圧Ｖｓが電圧Ｖｔより低くなってから電源断信号送信時間の間、光送受部と電気信号処理部が消費する電力を供給するように構成したものである。
【００２０】
請求項４の発明は、請求項１〜請求項３のいずれか１項に記載の光送受信方法において、電気信号処理部は、受信ＦＩＦＯバッファと送信ＦＩＦＯバッファとクロック発生源を有し、電気受信パケット信号を受信ＦＩＦＯバッファに入力し、受信ＦＩＦＯバッファの出力を、クロック発生源が出力する付替クロックに同期して、パケット処理装置に出力し、
【００２１】
受信ＦＩＦＯバッファの蓄積量がＳmax を超え、電気受信パケット信号にアイドル符号セットが含まれるとき、このアイドル符号セットを破棄し、受信ＦＩＦＯバッファの蓄積量がＳmin を下回り、電気受信パケット信号にアイドル符号セットが含まれるとき、その直前もしくは直後にアイドル符号セットを挿入し、電気送信パケット信号を送信ＦＩＦＯバッファに入力し、送信ＦＩＦＯバッファの出力を、クロック発生源が出力する付替クロックに同期して、光送受信部に出力し、
【００２２】
送信ＦＩＦＯバッファの蓄積量がＳmax を超え、電気送信パケット信号にアイドル符号セットが含まれるとき、このアイドル符号セットを破棄し、送信ＦＩＦＯバッファの蓄積量がＳmin を下回り、電気送信パケット信号にアイドル符号セットが含まれるとき、その直前もしくは直後にアイドル符号セットを挿入するように構成したものである。
【００２３】
請求項５の発明は、請求項１〜請求項４のいずれか１項に記載の光送受信方法において、電気信号処理部は、符号誤り情報送信タイミングを生成する符号誤り情報送信タイミング生成処理を行い、電気受信パケット信号の符号誤りを検出して個数を集計し、符号誤り情報送信タイミングに応じて、電気送信パケット信号に集計した符号誤り個数を符号化した符号誤り情報符号セットを挿入するように構成したものである。
【００２４】
請求項６の発明は、パケット処理装置と光ファイバケーブルとの間に位置して、パケット処理装置が電力を供給するとき、光ファイバケーブルから入力された光受信パケット信号を受信し、電気受信パケット信号に変換してパケット処理装置に出力し、パケット処理装置からの電気送信パケット信号を光送信パケット信号に変換して光ファイバケーブルに出力することによって送信する光送受信装置であって、光送受信装置は、光送受信部と電気信号処理部とを有して成り、
【００２５】
光送受信部は、光ファイバケーブルから入力された光受信パケット信号を電気受信パケット信号に変換して、電気信号処理部に出力すると共に、光受信パケット信号の受信状態を示す受信状態信号を電気信号処理部に出力する手段と、電気信号処理部から入力された電気送信パケット信号を光送信パケット信号に変換して光ファイバケーブルに出力する手段とを有し、
【００２６】
電気信号処理部は、電気受信パケット信号から制御情報符号セットを読み取る、制御情報受信処理手段と、前記制御情報符号セットを復号した制御情報に応じて、光送受信モジュール制御処理を行う手段と、電気受信パケット信号をパケット処理装置に出力する手段と、監視情報送信タイミングを生成する、監視情報送信タイミング生成処理手段と、
【００２７】
該監視情報送信タイミングに応じて、電気送信パケット信号に受信状態を含む光送受信モジュール監視情報を符号化した監視情報符号セットを挿入する監視情報送信処理を行う手段と、電気送信パケット信号を光送受信部に出力する手段とを設けた光送受信装置である。
【００２８】
請求項７の発明は、請求項６記載の光送受信装置において、電気信号処理部は、制御情報符号セットを復号して得られた制御情報がパケット折返し要求を示すとき、電気受信パケット信号に対して、監視情報送信処理を行い、電気送信パケット信号として光送受信部に出力する、パケット折返し制御を行う手段を有し、光送受信モジュール監視情報は、パケット折返し制御を実施中か否かを示すパケット折返し状態を含むように構成したものである。
【００２９】
請求項８の発明は、請求項６または請求項７の光送受信装置において、電力蓄積部を有し、電気信号処理部は、パケット処理装置から供給される電源電圧Ｖｓを監視し、電圧Ｖｓが電圧Ｖｔより低くなったとき、電源断信号を電気送信パケット信号として光送受信部に出力する、電源断処理を行う手段を有し、電力蓄積部は、パケット処理装置から供給される電力を蓄積し、電圧Ｖｓが電圧Ｖｔより低くなってから電源断信号送信時間の間、光送受信部と電気信号処理部が消費する電力を供給する手段を有するように構成したものである。
【００３０】
請求項９の発明は、請求項６〜８のいずれか１項に記載の光送受信装置において、電気信号処理部は、受信ＦＩＦＯバッファと送信ＦＩＦＯバッファとクロック発生源を有し、電気受信パケット信号を受信ＦＩＦＯバッファに入力し、受信ＦＩＦＯバッファの出力を、クロック発生源が出力する付替クロックに同期して、パケット処理装置に出力し、
【００３１】
受信ＦＩＦＯバッファの蓄積量がＳmax を超え、電気受信パケット信号にアイドル符号セットが含まれるとき、このアイドル符号セットを破棄し、受信ＦＩＦＯバッファの蓄積量がＳmin を下回り、電気受信パケット信号にアイドル符号セットが含まれるとき、その直前もしくは直後にアイドル符号セットを挿入し、電気送信パケット信号を送信ＦＩＦＯバッファに入力し、
【００３２】
送信ＦＩＦＯバッファの出力を、クロック発生源が出力する付替クロックに同期して、光送受信部に出力し、送信ＦＩＦＯバッファの蓄積量がＳmax を超え、電気送信パケット信号にアイドル符号セットが含まれるとき、このアイドル符号セットを破棄し、送信ＦＩＦＯバッファの蓄積量がＳmin を下回り、電気送信パケット信号にアイドル符号セットが含まれるとき、その直前もしくは直後にアイドル符号セットを挿入する手段を有するように構成したものである。
【００３３】
請求項１０の発明は、請求項６〜請求項９のいずれか１項に記載の光送受信装置において、電気信号処理部は、符号誤り情報送信タイミングを生成する符号誤り情報送信タイミング生成処理を行い、電気受信パケット信号の符号誤りを検出して個数を集計し、符号誤り情報送信タイミングに応じて、電気送信パケット信号に集計した符号誤り個数を符号化した符号誤り情報符号セットを挿入する手段を有するように構成したものである。
【００３４】
【発明の実施の形態】
図１は本発明の実施の形態の第１の例を示す図であって、光送受信モジュールの接続形態を示している。図２は本発明の実施の形態の第１の例の電気信号処理部を示す図である。図３は光送受信モジュールの通信例を示す図である。
【００３５】
図１の数字符号１は光送受信モジュールまたは光送受信装置、２はパケット処理装置、３は光送受信部、４は電気信号処理部、５は光ファイバケーブル、５ａは光ファイバケーブルコネクタを表しており、図２の６ａ、６ｂは符号列化部、７ａ、７ｂは変換部、８は制御情報符号セット読取部、９は監視情報符号セット挿入部、１０はモジュール信号処理部、１１ａ〜１１ｃは制御情報符号セット、１２ａ、１２ｂは監視情報符号セットを表している。
【００３６】
図１において、光送受信モジュール１は、光送受信部３と電気信号処理部４とからなり、光送受信部３は、光ファイバケーブル５から入力された光受信パケット信号を電気受信パケット信号に変換して、該電気受信パケット信号と光受信パケット信号の受信状態を示す受信状態信号を、電気信号処理部４に出力すると共に、電気信号処理部から入力された電気送信パケット信号を光送信パケット信号に変換して光ファイバケーブル５に出力する。
【００３７】
電気信号処理部４は、電気受信パケット信号から制御情報符号セットを読み取り、該制御情報符号セットを復号した制御情報に応じて、光送受信モジュール制御処理を行い、電気受信パケット信号をパケット処理装置２に出力し、監視情報送信タイミングを生成し、該監視情報送信タイミングに応じて、電気送信パケット信号に受信状態を含む光送受信モジュール監視情報を符号化した監視情報符号セットを挿入して、電気送信パケット信号を光送受信部３に出力する。
【００３８】
図２は電気信号処理部４の構成を示している。同図において、符号列化部６ａは、電気受信パケット信号を符号単位で区切られた受信パケット符号列に変換し、符号列に同期したクロックを生成する。制御情報符号セット読取部８は、受信パケット符号列から制御情報符号セットを読み取る。
【００３９】
読み取った制御情報符号セット（図３の１１ａ〜ｃ）をアイドル符号セットに置換する。なお、制御情報符号セットをアイドル符号セットに置換しないで、電気受信パケット信号の監視のみを行い、そのまま出力する方式も可能である。変換部７ａは、受信パケット符号列を電気受信パケット信号に戻す。
【００４０】
モジュール信号処理部１０は、下記の処理を行い、光受信モジュールの監視情報に応じてモジュール状態信号を出力する。
・制御情報符号セットの復号と光送受信モジュール制御処理。
・監視情報送信タイミングの生成。
・光送受信モジュールの監視情報（光送受信部の受信状態十制御情報符号セットの受信状態）の生成。
・監視情報の監視情報符号セットへの符号化。
【００４１】
変換部７ｂは、送信パケット符号列を電気送信パケット信号に戻す。監視情報符号セット挿入部９は、送信パケット符号列からアイドル符号セットを検出し、監視情報符号セット（図３の１２ａ、１２ｂ）に置換する。符号列化部６ｂは、電気送信パケット信号を符号単位で区切られた送信パケット符号列に変換し、符号列に同期したクロツクを生成する。
【００４２】
図４は本発明の実施の形態の第２の例の電気信号処理部（４ａ）の構成を示す図である。図５は本発明の実施の形態の第２の例における光送受信モジュールの通信の例を示す図であって、パケッと折り返し制御の動作を示している。同図において、数字符号１３ａ〜１３ｃは制御情報符号セットであり、パケット折り返し要求を符号化したものである。
【００４３】
また、１４ａ、１４ｂは制御情報符号セットであり、パケット折り返し要求なしを符号化したもの、１５ａ〜１５ｃはパケット折り返し状態ではないことを示す監視情報符号セット、１６ａ、１６ｂはパケット折り返し状態を示す監視情報符号セットを示している。
【００４４】
図４において、モジュール信号処理部１０ａは、実施の形態の第１の例のモジュール信号処理部の動作において、時間Ｔにｎ回以上、制御情報がパケット折り返し要求であったとき、パケット折り返し制御信号＝activeを出力する。時間Ｔに１回も制御情報がパケット折り返し要求とならなかったときは、パケット折り返し制御信号＝inactiveを出力する。
【００４５】
また、監視情報はパケット折り返し状態（パケット折り返し中であるか否かを示す）を含む。符号列化部６ｃは、パケット折り返し制御信号＝activeのとき電気受信パケット信号を選択し、パケット折り返し制御信号＝inactiveのとき、パケット処理装置からの電気送信パケット信号を選択する。
【００４６】
選択した信号を符号単位で区切られた送信パケット符号列に変換し、符号列に同期したクロックを生成する。符号列化部６ａ、制御情報符号セット読取部８、変換部７ａ、変換部７ｂ、監視情報符号セット挿入部９の各部は、図２の場合と同様であり、その動作についも図２で説明したものと同様であるので説明を省略する。
【００４７】
図６は、本発明の実施の形態の第３の例の光送受信モジュールの接続形態を示す図であって、数字符号１は光送受信モジュールまたは光送受信装置、２はパケット処理装置、３、は光送受信部、４ｂは電気信号処理部、５は光ファイバケーブル、５ａは光ファイバケーブルコネクタ、１７は電力蓄積部を表している。
【００４８】
同図において、電気信号処理部４ｂは、先に説明した実施の形態の第１の例、または実施の形態の第２の例の処理に加えて、パケット処理装置から供給される電源電圧Ｖｓを監視し、電圧Ｖｓが電圧Ｖｔより低くなったとき、電源断信号を電気送信パケット信号として光送受信部に出力する、電源断処理を行う。
【００４９】
電力蓄積部１７は、パケット処理装置から供給される電力を蓄積し、電圧Ｖｓが電圧Ｖｔより低くなつてから電源断信号送信時間の間、光送受信部と電気信号処理部が消費する電力を供給する。光送受信部３、パケット処理装置２については、図１の場合と同様であるので説明を省略する。
【００５０】
図７は、本発明の実施の形態の第３の例の電気信号処理部（４ｂ）の構成を示す図である。同図において、数字符号６ａ、６ｃは符号列化部、７ａ、７ｃは変換部、８は制御情報符号セット読取部、９は監視情報符号セット挿入部、１０ａはモジュール信号処理部、１８は電源断符号列出力部、１９は電源電圧監視部を表している。
【００５１】
変換部７ｃは、送信パケット符号列が入力されたときは電気送信パケット信号に、電源断符号列のときは電源断信号に変換する。電源断符号列出力部１８は、電源断検知信号=active のとき、監視情報符号セット挿入部からの送信パケット符号列の代わりに、電源断符号列を出力する。
【００５２】
電源電圧監視部１９は、パケット処理装置から供給される電源電圧Vsを監視し、電圧Ｖｓが電圧Ｖｔより低くなったとき、電源断検知信号=active を出力する。符号列化部６ａ、６ｃ、制御情報符号セット読取部８、変換部７ａ、監視情報符号セット挿入部９、モジュール信号処理部１０ａの各部は、図４の場合と同様であり、その動作についも図４で説明したものと同様であるので説明を省略する。
【００５３】
図８は本発明の実施の形態の第３の例の電力蓄積部の構成を示す図である。同図において、数字符号１７は電力蓄積部、２１は容量Ｃのコンデンサ、２２はレギュレータを表している。光送受信モジュールの全消費電流＝Ｉ、光送受信モジュール各部の最小動作電圧Ｖmin （Ｖmin ＜Ｖr ）、電源断信号送信時間＝ｔ、のとき、必要となるコンデンサ容量Ｃの条件は、
“Ｃ＞（ｔ・Ｉ）／Ｖr −Ｖmin ”である。
【００５４】
図９は本発明の実施の形態の第３の例の光送受信モジュールの送信信号を示す図である。同図において、数字符号２３ａ〜２３ｃは監視情報符号セットを示している。同図に示すように、パケット処理装置が供給する電源の電圧Ｖｓが途絶えたとき、電力蓄積部に蓄えられた電力によって動作し、電源断符号列を送信した後送信を停止する。
【００５５】
図１０は本発明の実施の形態の第４の例の電気信号処理部（４ｃ）の構成を示す図である。同図において、数字符号６ａ、６ｃは符号列化部、７ａ、７ｃは変換部、８は制御情報符号セット読取部、９は監視情報符号セット挿入部、１０ａはモジュール信号処理部、１８は電源断符号列出力部、１９は電源電圧監視部、２４は付替えクロック生成部、２５ａ、２５ｂはクロック付替部を表している。
【００５６】
付替えクロック生成部２４は付替え用のクロックを生成する。クロック付替部２５ａは制御情報符号セット読取部８から受け取ったクロックと受信パケット符号列を付替えクロックおよびクロックが付替えられた受信パケット符号列として変換部７ａに渡す。クロック付替部２５ｂは符号列化部６ｃから受け取ったクロックと送信パケット符号列を、付替えクロックおよびクロックが付替えられた送信パケット符号列として監視情報符号セット挿入部９に渡す。
【００５７】
図１１は、本発明の実施の形態の第４の例のクロック付替部の構成を示す図である。図１２は本発明の実施の形態の第４の例のクロック付替部の動作を示す流れ図である。図１１において、デスタッフ部２６は、主信号からアイドル符号セットを検知する。デスタッフ要求=True かつアイドル符号セットを検知したとき、検知した符号セットを出力する期間中、書込イネーブル=Falseとする。
【００５８】
ＦＩＦＯバッファ２７は書込イネーブル=True のとき、クロックに同期して入力される主信号をバッファに書き込む。書込イネーブル=Falseのときは、バッファへの書き込みを停止する。読出イネーブル=True のとき、付替クロックに同期してバッファから主信号を入力された順に読み出して出力する。読出イネーブル=  Falseのときは、読み出しを停止する。
【００５９】
蓄積量がSmaxを超えたときは、デスタッフ要求=True を出力する。蓄積量がSminを下回つたときは、スタッフ要求=True を出力する。スタッフ部２８は主信号からアイドル符号セットを検知する。スタツフ要求=True かつアイドル符号セットを検知したとき、検知した符号セットの直後にアイドル符号セットを挿入する。また、挿入期間中、読出イネーブル=Falseとする。
【００６０】
図１３は、本発明の実施の形態の第５の例を示す図である。同図において数字符号３１は広域ネットワーク、３２はパケット通信サービス提供者側の局舎、３３はIEEE802.3z規格の信号を用いる局内装置、３４はアクセスネットワーク管理用端末、３５ａ〜３５ｃは光ファイバケーブル、３６はアクセスネットワークを表している。
【００６１】
また、３７ａ〜３７ｃはパケット通信サービス利用者側の局舎、３８はＧＢＩＣモジュール、３９はＧＢＩＣモジュール用スロット、４０はIEEE802.3z規格の信号を用いる宅内装置、４１は宅内ＬＡＮを表している。IEEE802.3z規格の信号を用いる局内装置３３とIEEE802.3z規格の信号を用いる宅内装置（＝パケット処理装置）４０が、光ファイバケーブル３５を伝送媒体としたアクセスネットワークを介して接続される。
【００６２】
IEEE802.3z規格の信号を用いる局内装置３３は、アクセスネットワーク管理用端末からの指示により、光送受信ＧＢＩＣモジュールに対して遠隔制御を行うとき、その制御に対応する制御情報を、制御情報符号セットに符号化し、IEEE802.3z規格の信号のフレーム間ギャップに挿入して送信する。
【００６３】
受信したIEEE802.3z規格の信号のフレーム間ギャップに挿入された監視情報符号セットと符号誤り情報符号セットを検出し、復号して得られた情報に基づいて、モジュールの光受信状態、制御情報符号セットの受信状態、フレーム折り返し状態、符号誤り個数を得る。これらの情報をアクセスネットワーク管理用端末に通知する。
【００６４】
アクセスネットワーク管理用端末３４は光送受信ＧＢＩＣモジュールまでの区間の管理を行う。ＧＢＩＣモジュール３８は本発明（請求項１〜請求項６）を適用した遠隔制御監視機能を有する光送受信用ＧＢＩＣモジュールである。宅内ギガビットイーサネッ卜装置４０は、ＧＢＩＣモジュールスロットを有する装置であればよい。
【００６５】
図１４は、本発明の実施の形態の第５の例の光送受信用ＧＢＩＣモジュールの接続形態を示す図であって、数字符号３８は光送受信ＧＢＩＣモジュール、４０はIEEE802.3z規格の信号を用いる宅内装置、４３はＧＢＩＣモジュール用スロット、５ｂは光ファイバケーブルコネクタ（ＳＣコネクタ）、４５は光送受信部、４ｄは電気信号処理部、５は光ファイバケーブル、１７は電力蓄積部を表している。
【００６６】
同図において、光ファイバケーブル５の入力側には光受信ＧｂＥ信号としてフレーム間ギャップ（ＩＦＧ）に制御情報符号セットが挿入されている。光ファイバケーブル５の出力側には光送信ＧｂＥ信号としてフレーム間ギャップ（ＩＦＧ）に監視情報符号セット、符号誤り情報符号セットが挿入されている。電気信号処理部４ｆ、電力蓄積部１７には動作時に定電圧＋５Ｖが供給される。その他の動作は先に説明した図６の場合と同様であるので説明を省略する。
【００６７】
図１５は本発明の実施の形態の第５の例の電気信号処理部（４ｄ）の構成を示している。この構成は先に説明した実施の形態の第４の例の電気信号処理部の構成にＲＥＩ、ＧｂＥを適用したものである。同図において数字符号８は制御情報符号セット読取部、９は監視情報符号セット挿入部、１０ａはモジュール信号処理部を表している。
【００６８】
また、１８は電源断符号列出力部、１９は電源電圧監視部、２５ａ、２５ｂはクロック付替部、５０ａ、５０ｂはクロック再生部、５１ａ、５１ｂはコンマ検出並列化部、７ａ、７ｃは変換部、５２は符号誤り検出部、５３ａ、５３ｂは直列化部、５４ａ、５４ｂはクロック逓倍部、５５は信号折り返し制御部、５６は１２５ＭＨｚ付替えクロック生成部、５７は符号誤り情報符号セット挿入部を表している。
【００６９】
クロック再生部５０ａは電気受信ＧｂＥ信号から１２５ＧＨｚクロックを再生し、これをコンマ検出並列化部５１ａに供給する。コンマ検出並列化部５１ａは受信ＧｂＥ符号列と１２５ＭＨｚクロックを出力し、これを制御情報符号セット読取部８に入力する。
【００７０】
クロック付替部２５ａはクロックが付替えられた受信ＧｂＥ符号列を直列化部５３ａに入力し、１２５ＭＨｚ付替えクロックを直列化部５３ａとクロック逓倍部５４ａに入力する。クロック再生部５０ｂは１２５ＧＨｚクロックを再生し、コンマ検出並列化部５１ｂに供給する。コンマ検出並列化部５１ｂは１２５ＭＨｚクロックと送信ＧｂＥ符号列をクロック付替部２５ｂに入力する。
【００７１】
クロック付替部２５ｂは１２５ＭＨｚ付替えクロックと、クロックが付替えられた送信ＧｂＥ符号列を符号誤り情報符号セット挿入部５７に入力する。クロック逓倍部５４ｂは１２５ＭＨｚ付替えクロックを逓倍して１２５ＧＨｚ逓倍クロックとして直列化部５３ｂに供給する。その他の動作は先に説明した図１０の場合と同様であるので説明を省略する。
【００７２】
【発明の効果】
請求項１あるいは請求項６の発明によれば、遠隔のパケット処理装置に接続された本発明を適用した光送受信モジュールに向けて、制御情報を符号化した制御情報符号セットをパケット信号に挿入して送信することにより、光送受信モジュールにおいて制御情報に応じた制御が可能となる。
【００７３】
すなわち、パケット処理装置に依存せず光送受信モジュールの遠隔制御が可能となる。これにより、光送受信モジュールとパケット処理装置との接続点を管理分界点とすることが可能となる。例えば、パケット通信サービスを提供者側の管理対象を光送受信モジュールまでと限定し、パケット処理装置の管理をパケット通信サービス利用者側に任せることができる。
【００７４】
これにより、従来一体として管理する必要があったパケット処理装置に対する、複雑な管理を行なう必要がなくなり、管理コストを低減することが可能となる。さらに、パケット通信サービス利用者によるパケット処理装置選択の自由度が高くなるため、パケット通信サービス利用者側のネットワーク環境に応じた装置選択が可能となる。
【００７５】
遠隔監視によって該当モジュールの受信状態を知ることが可能であり、通信障害が発生した場合にその障害発生箇所の推定に利用することができる。また、モジュール内で生成した監視情報送信タイミングで監視情報符号セットが送信されるため、受信した信号に含まれる監視情報符号セットを検出することによって、そのモジュールが正常動作しているかどうかを確認することができる。これにより、障害発生時に遠隔のパケット処理装置まで出向かずとも、その原因を調査することが可能となり、管理コストを低減することができる。
【００７６】
本発明の遠隔制御監視機能を実現するための処理は、パケット処理よりも低レベルの符号セットの処理であるため、従来のパケット処理装置の遠隔制御監視機能を実現するためパケット処理回路よりも、小規模かつ低消費電力の符号セット処理回路で実現することができる。
【００７７】
これにより、従来の光送受信モジュールの規格内に遠隔制御監視機能を収めることが可能となる。このため、光送受信モジュールをパケット処理装置から分離可能とする従来からの機構を利用し、光送受信モジュールを、本発明適用の光送受信モジュールに交換することによって、従来のパケット通信システムに、遠隔制御監視機能を追加することが可能となる。これにより、既存のパケット処理装置を変更することなく、容易に遠隔制御監視機能の追加ができる。
【００７８】
請求項２あるいは請求項７の発明によれば、遠隔のパケット処理装置に接続された本発明を適用した光送受信モジュールに向けて、パケット折返し要求を示す制御情報を符号化した制御情報符号セットをパケット信号に挿入して送信することにより、光送受信モジュールにおいて遠隔からのループバック試験が可能となる。
【００７９】
従来は、パケット処理装置が有するループバック機能によってループバック試験を実施していたため、光送受信モジュールの試験とパケット処理装置の試験を分離することができなかったが、本発明の適用により分離することが可能となり、光送受信モジュールとパケット処理装置との接続点を管理分界点とするときに有効な試験方法を実現できる。
【００８０】
請求項３あるいは請求項８の発明によれば、光送受信モジュールが電源電圧を監視し、一定電圧を下回ったとき、電力蓄積部に蓄えられた電力を用いて電源断信号を送信することにより、遠隔において光送受信モジュールの電源断を検知することが可能となる。
【００８１】
これにより、パケット処理装置の電源断または光送受信モジュールのパケット処理装置からの取り外しによって発生した通信障害と、他の原因によって発生した通信障害とを区別することができ、障害発生時に遠隔のパケット処理装置まで出向かずとも、その原因を調査することが可能となり、管理コストを低減することができる。
【００８２】
請求項４あるいは請求項９の発明によれば、光送受信モジュールが、受信ＦＩＦＯバッファと送信ＦＩＦＯバッファとクロック発生源を有し、光送受信モジュールが入力するパケット信号（受信したパケット信号やパケット処理装置から入力されたパケッ卜信号）のクロックを、クロック発生源が生成したクロックに付け替える。
【００８３】
これにより、光送受信モジュールに入力されたパケット信号のクロック品質に依存せず、光送受信モジュールから出力されるパケット信号（送信するパケット信号やパケット処理装置に出力するパケット信号）のクロック品質を保証することが可能となる。これにより、光送受信モジュールとパケット処理装置との接続点を管理分界点とするとき、ー方の管理区間での障害を他方の管理区間に伝達しないため、管理が容易になる。
【００８４】
請求項５あるいは請求項１０の発明によれば、光送受信モジュールが、受信したパケット信号の符号誤りを検出し個数を集計し符号誤り情報符号セットに符号化し、パケット信号に挿入して送信するため、この信号に含まれる符号誤り情報符号セットを読み取ることによって、光送受信モジュールが受信した信号の符号誤り率を検知することが可能であり、遠隔から、伝送品質の監視を常時行なうことができる。
【図面の簡単な説明】
【図１】本発明の実施の形態の第１の例を示す図である。
【図２】本発明の実施の形態の第１の例の電気信号処理部を示す図である。
【図３】光送受信モジュールの通信例を示す図である。
【図４】本発明の実施の形態の第２の例の電気信号処理部を示す図である。
【図５】本発明の実施の形態の第２の例における光送受信モジュールの通信の例を示す図である。
【図６】本発明の実施の形態の第３の例の光送受信モジュールの接続形態を示す図である。
【図７】本発明の実施の形態の第３の例の電気信号処理部を示す図である。
【図８】本発明の実施の形態の第３の例の電力蓄積部を示す図である。
【図９】本発明の実施の形態の第３の例の光送受信モジュールの送信信号を示す図である。
【図１０】本発明の実施の形態の第４の例の電気信号処理部を示す図である。
【図１１】本発明の実施の形態の第４の例のクロック付替部を示す図である。
【図１２】本発明の実施の形態の第４の例のクロック付替部の動作を示す流れ図である。
【図１３】本発明の実施の形態の第５の例を示す図である。
【図１４】本発明の実施の形態の第５の例の光送受信用ＧＢＩＣモジュールの接続形態を示す図である。
【図１５】本発明の実施の形態の第５の例の電気信号処理部を示す図である。
【図１６】従来のIEEE802.3z規格の信号を利用したアクセスネットワークの構成の例を示す図である。
【図１７】従来の光送受信用ＧＢＩＣモジュールの接続形態の例を示す図である。
【符号の説明】
１  光送受信モジュールまたは光送受信装置
２  パケット処理装置
３  ３ａは光送受信部
４、４ａ〜４ｄ  電気信号処理部
５  光ファイバケーブル
５ａ、５ｂ  光ファイバケーブルコネクタ
６ａ、６ｂ  符号列化部
７ａ、７ｂ  変換部
８  制御情報符号セット読取部
９  は監視情報符号セット挿入部
１０はモジュール信号処理部、
１１ａ〜１１ｃ、１３ａ〜１３ｃ、１４ａ、１４ｂ    制御情報符号セット
１２ａ、１２ｂ１５ａ〜１５ｃ、１６ａ、１６ｂ、２３ａ〜２３ｃ    監視情報符号セット
１７    電力蓄積部
１８    電源断符号列出力部
１９    電源電圧監視部
２１    コンデンサ
２２    レギュレータ
２４    付替えクロック生成部
２５ａ、２５ｂ    クロック付替部
２６    デスタッフ部
２７    ＦＩＦＯバッファ
２８    スタッフ部
３１    広域ネットワーク
３２    パケット通信サービス提供者側の局舎
３３    IEEE802.3z規格の信号を用いる局内装置
３４    アクセスネットワーク管理用端末
３５ａ〜３５ｃ    光ファイバケーブル
３６    アクセスネットワーク
３７ａ〜３７ｃ    パケット通信サービス利用者側の局舎
３８    ＧＢＩＣモジュール
３９    ＧＢＩＣモジュール用スロット
４０    IEEE802.3z規格の信号を用いる宅内装置
４１    宅内ＬＡＮ
４５    光送受信部
５０ａ、５０ｂ    クロック再生部
５１ａ、５１ｂ    コンマ検出並列化部
７ａ、７ｃ    変換部
５２    符号誤り検出部
５３ａ、５３ｂ    直列化部
５４ａ、５４ｂ    クロック逓倍部
５５    信号折り返し制御部
５６    １２５ＭＨｚ付替えクロック生成部
５７    符号誤り情報符号セット挿入部
【図１】
0003682004.tif 000002
【図２】
0003682004.tif 000003
【図３】
0003682004.tif 000004
【図４】
0003682004.tif 000005
【図５】
0003682004.tif 000006
【図６】
0003682004.tif 000007
【図７】
0003682004.tif 000008
【図８】
0003682004.tif 000009
【図９】
0003682004.tif 000010
【図１０】
0003682004.tif 000011
【図１１】
0003682004.tif 000012
【図１２】
0003682004.tif 000013
【図１３】
0003682004.tif 000014
【図１４】
0003682004.tif 000015
【図１５】
0003682004.tif 000016
【図１６】
0003682004.tif 000017
【図１７】
0003682004.tif 000018